(57)【要約】【課題】  場所を取らず、しかも表面に露出したマットシートの交換が簡単なフロアマットを提供すること。【解決手段】  少なくとも２枚のマットシートからなるフロアマットであり、前記マットシート同士は連結部材により連結しており、この連結部材により、いずれかのマットシートが回転し、異なるマットシートが表面に露出可能なフロアマットである。そのため、マットシートを回転させることによって、フロア側のマットシートを露出させ、表面に露出していたマットシートをフロア側に収納することができる。また、表面に露出したマットシートの交換が簡単である。【選択図】      図１
2012176704.tif 000002
【特許請求の範囲】
【請求項１】
少なくとも２枚のマットシートからなるフロアマットであり、前記マットシート同士は連結部材により連結しており、この連結部材により、いずれかのマットシートが回転し、異なるマットシートが表面に露出可能であることを特徴とするフロアマット。
【発明の詳細な説明】
【技術分野】
【０００１】
本発明はフロアマットに関する。
【背景技術】
【０００２】
フロアマット、例えば、自動車用フロアマットとして、基材シート（例えば、ラバーシート、ポリ塩化ビニル樹脂シート）と表材繊維シート（例えば、カーペットシート）とからなる分離型フロアマットが公知である。
【０００３】
例えば、特許文献１には、ポリ塩化ビニル樹脂シート等の高分子シートとカーペットとを、スナップなどの係合治具により分離可能に結合される自動車用フロアマットが開示されている。また、特許文献２には、表材シートとベース部とを、凹凸型嵌合手段により結合させる分離型フロアマットが、特許文献３には、表材（インナーマット）と基材（フロアマットベース）とを、一対の面ファスナーで結合させる分離型自動車用フロアマットが、それぞれ、開示されている。
【０００４】
また、特許文献４には、カーペットマットとゴム台とからなり、ゴム台本体の周縁部に設けられた保持溝に、カーペットマットの周縁部を挿入させることができる分離型フロアマットが開示されている。特許文献５には、表材シートと、保持溝を周縁部に設けたベース部とからなり、表材シートの周縁部を前記保持溝に挿入させる分離型自動車用フロアマットが開示されている。
【０００５】
特許文献１〜５に記載のこれらの分離型フロアマットは、使用するシーンによって、上層の表材シートを取り外して、ベースのみで使用することを意図しており、その他の利点としては、廃棄時のリサイクル性の向上や、表材シートのみの交換が可能である点が挙げられる。しかしながら、これらの分離型フロアマットでは、取り外した表材シートを別の場所（例えば、トランクルーム）に保管しなければならない欠点があった。
【０００６】
この欠点を改良したフロアマットとして、本願出願人らは「任意の順序で重ね合わせて使用可能な２枚のマットシートからなるフロアマットであって、第１のマットシートに、一対の連結手段の一方の連結パートナーを有する連結パートナー担持キャリアと、貫通孔とが設けられ、第２のマットシートに、前記連結手段のもう一方の連結パートナーが設けられ、第２のマットシートの上に第１のマットシートを重ねてフロアマットとして使用する場合に、第２のマットシートに設けた前記連結パートナーと、前記キャリアに設けた前記連結パートナーとを、前記貫通孔を介して連結させることができるフロアマット」（特許文献６）を提案した。このフロアマットは確かに場所を取らないものであったが、貫通孔を介して連結させる連結作業は煩雑であった。
【先行技術文献】
【特許文献】
【０００７】
【特許文献１】実開平５−２９８４７号公報
【特許文献２】特開２００１−８８５９９号公報
【特許文献３】特開２００４−９８７２０号公報
【特許文献４】特開平７−２０４１５５号公報
【特許文献５】特開２０００−２７２３９９号公報
【特許文献６】特開２００９−１１５９１号公報
【発明の概要】
【発明が解決しようとする課題】
【０００８】
本発明は上述のような点に鑑みてなされたものであり、場所を取らず、しかも表面に露出したマットシートの交換が簡単なフロアマットを提供することを目的とする。
【課題を解決するための手段】
【０００９】
本発明の請求項１にかかる発明は、「少なくとも２枚のマットシートからなるフロアマットであり、前記マットシート同士は連結部材により連結しており、この連結部材により、いずれかのマットシートが回転し、異なるマットシートが表面に露出可能であることを特徴とするフロアマット。」である。
【発明の効果】
【００１０】
本発明の請求項１にかかるフロアマットは、マットシート同士が連結部材により連結しており、この連結部材により、いずれかのマットシートが回転し、異なるマットシートが表面に露出可能であるため、マットシートを回転させることによって、表面に露出していないフロア側のマットシートを表面に露出させることができるとともに、表面に露出していたマットシートをフロア側に収納することができるため、別の場所（例えば、トランクルーム）に保管する必要がないとともに、表面に露出したマットシートの交換が簡単である。
【図面の簡単な説明】
【００１１】
【図１】本発明のフロアマットの一態様を模式的に示す平面図。
【図２】図１に示すＡ−Ａ線部分断面図。
【図３】図１における表面に露出したマットシートを、１８０°回転させた状態を模式的に示す平面図。
【図４】図１における表面に露出したマットシートを、３６０°回転させた状態を模式的に示す平面図。
【図５】図４に示すＢ−Ｂ線部分断面図。
【発明を実施するための最良の形態】
【００１２】
本発明のフロアマットについて、添付図面に沿って説明する。
【００１３】
図１は、本発明のフロアマットの一態様であって、樹脂マットシート１０の上にカーペットマットシート２０（露出マットシート）を重ねた状態のフロアマット１００を、表面側（敷設時に目視できる側）から見た模式的平面図である。図２は図１におけるＡ−Ａ線部分断面図であり、図３は連結部材３０を中心として、カーペットマットシート２０（露出マットシート）を１８０°回転させた状態を模式的に示す平面図である。また、図４は連結部材３０を中心として、図１におけるカーペットマットシート２０（露出マットシート）を３６０°回転させた状態、つまり、樹脂マットシート１０の下にカーペットマットシート２０（露出マットシート）を収納した状態のフロアマット１００を、表面側から見た模式的平面図である。更に、図５は図４におけるＢ−Ｂ線部分断面図である。
【００１４】
図１〜図５に示すフロアマット１００は樹脂マットシート１０、カーペットマットシート２０、及びこれらマットシートを連結する連結部材３０とからなる。樹脂マットシート１０は、好ましくは弾性軟質の防水素材からなり、図２に示すように、カーペットマットシート２０を載置可能な平坦部１０ｃの周縁に沿って、立ち上がり部１０ｂ、及びそれに続く外周縁部１０ａを有する。このように、立ち上がり部１０ｂを有するため、樹脂マットシート１０は平坦部１０ｃにカーペットマットシート２０を保持し、水平方向への移動を防止することができる。また、砂、泥、ごみ、泥水やこぼれた飲料水などがフロアマット１００からこぼれて床（例えば、車両床）を汚すことを防止することができる。
【００１５】
図１〜図５に示すフロアマット１００では、樹脂マットシート１０の外周縁部１０ａに続いて、樹脂マットシート１０と同じ又は異なる素材からなる連結部材３０を有し、この連結部材３０によって、樹脂マットシート１０とカーペットマットシート２０とが連結されている。この連結部材３０は樹脂マットシート１０又はカーペットマットシート２０の回転を円滑に行うことができるように、ほぼ３６０°屈曲した状態の蛇腹部３０ａを有し、この蛇腹部３０ａが樹脂マットシート１０の外周縁部１０ａと連結している。一方で、連結部材３０はカーペットマットシート２０と接続するため、平坦状の固定部３０ｄを有し、図２に示すように、カーペットマットシート２０と固定部３０ｄとはリベット２１によって連結固定された状態にある。この固定部３０ｄは、固定部３０ｄの周縁に沿って立ち上がった第２接続部３０ｃと接続しており、この第２接続部３０ｃは第１接続部３０ｂを介して蛇腹部３０ａと接続した状態にある。そのため、樹脂マットシート１０は連結部材３０の蛇腹部３０ａ、第１接続部３０ｂ、第２接続部３０ｃ、及び固定部３０ｄを介して、カーペットマットシート２０と連結した状態にある。
【００１６】
カーペットマットシート２０はピンを挿入できる貫通孔が鳩目２２によって形成されている。また、カーペットマットシート２０を樹脂マットシート１０に積層した際に、貫通孔と繋がる位置に、樹脂マットシート１０には貫通孔１４（図３参照）が形成されており、貫通孔１４が拡大しないように、貫通孔１４の周囲は他の平坦部１０ｃよりも若干厚さが厚くなっている。そのため、フロアに固定したピンを樹脂マットシート１０及びカーペットマットシート２０の貫通孔に挿入することによって、フロアマット１００をフロアに固定し、効果的にフロアマット１００の水平方向への移動を防止することができる。
【００１７】
このような図１に示す状態でフロアマット１００を使用した場合、使用者はカーペットマットシート２０を認識することができ、意匠性に優れていることから、快適に使用することができる。
【００１８】
図１に示すフロアマット１００を、例えば、土砂、水や雪が多く存在する環境下で使用するなど、従来とは異なるシチェエーションで使用しようとする場合、図２に示すように、カーペットマットシート２０をＴ方向へ１８０°回転させると、図３に示すように、魚を開いたような状態となり、更にカーペットマットシート２０をＴ方向へ１８０°回転させると、図４及び図５に示すように、樹脂マットシート１０が表面に露出するとともに、カーペットマットシート２０が樹脂マットシート１０の下側、つまりフロア側に収納された状態となる。そのため、表面に露出したマットシートを交換した場合であっても、カーペットマットシート２０の収納場所を取らない。また、上述のように、カーペットマットシート２０を回転させるだけで表面に露出するマットシートを変えることができるため、交換作業性に優れている。なお、図１〜図５に示すフロアマット１００においては、蛇腹部３０ａを有する連結部材３０を使用しているため、この蛇腹部３０ａによって、カーペットマットシート２０を回転させた際の歪を吸収し、容易に回転させることができる。
【００１９】
以上はカーペットマットシート２０を回転させた場合であるが、図１のようなカーペットマットシート２０が表面に露出したフロアマット１００における樹脂マットシート１０をＴ方向と反対方向へ回転させても、図４に示すような、樹脂マットシート１０が表面に露出しており、カーペットマットシート２０が樹脂マットシート１０の下側、つまりフロア側に収納された状態のフロアマット１００とすることができる。
【００２０】
この図１〜図５におけるフロアマット１００は、例えば、次のようにして製造することができる。まず、常法によりカーペットマットシート２０を製造するとともに、樹脂マットシート１０及び連結部材３０が熱硬化性樹脂からなる場合にはヒートプレス成形により、また、樹脂マットシート１０が熱可塑性樹脂からなる場合には予めか加熱した後にコールドプレス成形することにより、樹脂マットシート１０と連結部材３０とが連結した中間マットシートを製造し、その後、連結部材３０の固定部３０ｄとカーペットマットシート２０とをリベット２１により連結固定して製造することができる。
【００２１】
図１〜図５におけるフロアマット１００はカーペットマットシート２０と樹脂マットシート１０の２枚のマットシートから構成されているが、２枚のマットシートから構成されている必要はなく、３枚以上であっても良い。マットシートの数が多ければ多いほど、シチュエーションに対応させて、マットシートを表面に露出させて使用することができる。
【００２２】
なお、マットシートとしては、前述のようなカーペットマットシート２０、樹脂マットシート１０に限定されず、例えば、カーペットと樹脂シートとの複合シートを使用することもできる。なお、カーペットマットシート２０としては、例えば、天然繊維又は合成繊維からなるタフテッドカーペット、ニードルパンチカーペット、フックカーペット、又は織物基布を挙げることができ、樹脂シートとしては、例えば、天然ゴム若しくは合成ゴム（例えば、スチレン−ブタジエンゴム、ブタジエンゴム、イソプレンゴム、又はニトリル−ブタジエンゴム）、又は熱可塑性エラストマー（例えば、スチレン系、ポリオレフィン系、又はポリ塩化ビニル系の各熱可塑性エラストマー）からなる樹脂シートを挙げることができる。本発明で用いるマットシートとしてカーペットマットシート２０を含んでいると、意匠性に優れているため好適である。なお、マットシートとして樹脂マットシート１０を含む場合、樹脂マットシート１０の平坦部１０ｃには、横滑りを防ぐために、デザイン上の観点、或いは使用者のズボンの裾を濡らすことがないように、各種凹凸模様を付することができる。また、カーペットマットシート２０、樹脂マットシート１０などのマットシートは、マットシートの耐久性を高めるために、踵が頻繁に接触する箇所にパッドを装着したり、前記箇所の厚さを厚くするのが好ましい。
【００２３】
図１〜図５におけるフロアマット１００においては、樹脂マットシート１０と連結部材３０とは成形時に連結した状態にあるが、このような連結状態に限定されず、例えば、ホック、面ファスナー、リベット、連結ピン、ゴム管（グロメット）などにより連結した状態にあっても良い。
【００２４】
図１〜図５におけるフロアマット１００は、紙面上、右側の外周縁１３の一部において、連結部材３０によってカーペットマットシート２０と樹脂マットシート１０とが連結しているが、紙面上、右側の外周縁１３である必要はなく、いずれかのマットシートが回転し、異なるマットシートが表面に露出可能である限り、紙面上、上側、左側又は下側の外周縁１３に連結部材３０が連結していても良い。基本的には、外周縁１３、２３が直線状の部分に連結部材３０が連結していると、いずれかのマットシートが回転し、異なるマットシートが表面に露出可能である。
【００２５】
なお、図１〜図５における連結部材３０は１つであるが、１つである必要はなく、いずれかのマットシートが回転し、異なるマットシートが表面に露出可能である限り、２つ以上の連結部材を備えていても良い。また、図１〜図５における樹脂マットシート１０は立ち上がり部１０ｂを有するが、立ち上がり部１０ｂのない平坦部１０ｃの外周縁１３に連結部材３０が連結していても良い。更に、連結部材３０は図１〜図５に示すように、マットシートの外周縁１３、２３で連結していると、いずれかのマットシートが回転し、異なるマットシートが表面に露出しやすいが、いずれかのマットシートが回転し、異なるマットシートが表面に露出可能であるのであれば、連結部材３０は外周縁１３、２３に連結している必要はない。
【００２６】
また、連結部材３０は図１〜図５のような蛇腹部３０ａを有する連結部材３０に限定されず、いずれかのマットシートが回転し、異なるマットシートが表面に露出可能である限り、特に限定するものではない。例えば、広幅テープ、リング、丁番、織物、不織布などを連結部材として使用することができる。なお、広幅テープ、織物又は不織布を使用する場合には、回転しやすいように、伸縮性を有する広幅テープ、織物又は不織布を使用するのが好ましい。このような伸縮性としては、襞折り構造などの構造的伸縮性、例えば、天然ゴム若しくは合成ゴム（例えば、スチレン−ブタジエンゴム、ブタジエンゴム、イソプレンゴム、又はニトリル−ブタジエンゴム）、又は熱可塑性エラストマー（例えば、スチレン系、ポリオレフィン系、又はポリ塩化ビニル系の各熱可塑性エラストマー）などの素材的伸縮性を挙げることができる。
【００２７】
更に、図１〜図５における連結部材３０とカーペットマットシート２０との連結手段は、リベット２１による方法であるが、リベット２１に限定されず、例えば、ホック、ボタンとスリットとの組合せ、面ファスナーなどを使用することもできる。このようなリベット以外の連結手段によると、容易にマットシートを取り外して、廃棄することができ、また、容易に新しいマットシートを装着することができる。なお、図１〜図５におけるフロアマット１００においては、連結部材３０はカーペットマットシート２０の裏面側で連結しているが、裏面側である必要はなく、表面側で連結していても良い。
【００２８】
なお、図１〜図５における樹脂マットシート１０の平坦部１０ｃの外周形状とカーペットマットシート２０の外周形状とはほぼ同じ、かつほぼ同じ大きさであるが、外周形状、大きさともに同じである必要はない。しかしながら、樹脂マットシート１０の平坦部１０ｃの外周形状とカーペットマットシート２０の外周形状とはほぼ同じ、かつほぼ同じ大きさであると、カーペットマットシート２０の水平方向へのずれを効果的に防止することができる。
【００２９】
また、図１〜図５におけるフロアマット１００は連結部材３０によって、外周縁１３、２３の一部で連結されているに過ぎず、この連結部材３０の存在箇所から遠く離れた外周縁においては、カーペットマットシート２０と樹脂マットシート１０とが連結していない。そのため、カーペットマットシート２０又は樹脂マットシート１０が踏力等によって、めくれ上がる可能性がある場合には、連結部材３０の連結箇所から遠く離れた外周縁等に、カーペットマットシート２０と樹脂マットシート１０とを連結する連結手段（例えば、ホック、面ファスナー、磁石など）を設置するのが好ましい。なお、フロアマット１００を固定するためのフロアに取り付けたピンが、カーペットマットシート２０と樹脂マットシート１０との連結手段としての作用も奏するように、ピン上方にピンの軸方向と交差する（好ましくは直交する）方向へ伸びる突起を有するのが好ましい。このようなピンを使用する態様は、図１〜図５のフロアマット１００とは異なり、紙面上、上側（ピンから遠く離れた外周縁）で連結部材３０が連結している場合に有効である。
【産業上の利用可能性】
【００３０】
本発明のフロアマットは、例えば、自動車用フロアマットの用途に好適に適用することができる。
【符号の説明】
【００３１】
１０  樹脂マットシート
１０ａ  外周縁部
１０ｂ  立ち上り部
１０ｃ  平坦部
１３  外周縁
１４  貫通孔
２０  カーペットマットシート
２１  リベット
２２  鳩目
２３  外周縁
３０  連結部材
３０ａ  蛇腹部
３０ｂ  第１接続部
３０ｃ  第２接続部
３０ｄ  固定部
１００  フロアマット
【図１】
2012176704.tif 000003
【図２】
2012176704.tif 000004
【図３】
2012176704.tif 000005
【図４】
2012176704.tif 000006
【図５】
2012176704.tif 000007